(57)【要約】【課題】感光体ドラムの保管や管理が煩雑化することなく、振動特性に応じた適切な防振資材を収容してある感光体ドラムを組み付け易い画像形成装置を提供する。【解決手段】感光体ドラム７と、その感光体ドラムのドラム軸２２を駆動回転させる駆動装置とを設け、感光体ドラムの内側に防振資材２１を収容してある画像形成装置であって、ドラム軸を、感光体ドラムの内側を同芯状に貫通する中空軸で構成し、そのドラム軸の中空部に防振資材を収容してある。【選択図】図４
2008164733.tif 000002
【特許請求の範囲】
【請求項１】
感光体ドラムと、その感光体ドラムのドラム軸を駆動回転させる駆動装置とを設け、前記感光体ドラムの内側に防振資材を収容してある画像形成装置であって、
前記ドラム軸を、前記感光体ドラムの内側を同芯状に貫通する中空軸で構成し、そのドラム軸の中空部に前記防振資材を収容してある画像形成装置。
【発明の詳細な説明】
【技術分野】
【０００１】
本発明は、感光体ドラムと、その感光体ドラムのドラム軸を駆動回転させる駆動装置とを設け、前記感光体ドラムの内側に防振資材を収容してある画像形成装置に関する。
【背景技術】
【０００２】
複写機やレーザープリンタ，ファクシミリなどの電子写真式画像形成装置は、感光体ドラムのドラム軸を駆動装置で駆動回転させるために、その動力伝達系から感光体ドラムに振動が伝わり易く、感光体ドラムが振動すると、光照射によって感光体ドラムの感光体表面に形成した静電潜像に歪みが生じたり、現像時のトナー分布が不均一になって、トナー像の転写時に画像の歪みを引き起こすおそれがある。
上記画像形成装置は、このような感光体ドラムの振動を防止するために、防振ゴムなどの防振資材を感光体ドラムの内側に収容して、例えば、動力伝達系から伝わる振動と共振しないように、感光体ドラムの固有振動数を調整できるようにしてあるが、感光体ドラムに伝わる振動の特性は画像形成装置の種類や機種毎に異なるので、画像形成装置にはその振動特性に応じた適切な防振資材を収容してある感光体ドラムを組み付ける必要があり、従来、感光体ドラムの組み立て時に、防振資材としての円筒状の防振ゴムを感光体ドラムの内周面に沿わせて装着してある（例えば、特許文献１参照）。
【０００３】
【特許文献１】特開２００４−１２６０８５号公報
【発明の開示】
【発明が解決しようとする課題】
【０００４】
このため、画像形成装置の種類や機種毎に対応して、その振動特性に応じた適切な防振資材を収容してある感光体ドラムを予め組み立てておいて、画像形成装置に組み付けるまで保管しておく必要があり、感光体ドラムの保管や管理が煩雑化する欠点がある。
本発明は上記実情に鑑みてなされたものであって、感光体ドラムの保管や管理が煩雑化することなく、振動特性に応じた適切な防振資材を収容してある感光体ドラムを組み付け易く、ドラム軸の剛性を確保しながらその軽量化を図ることもできる画像形成装置を提供することを目的とする。
【課題を解決するための手段】
【０００５】
本発明の第１特徴構成は、感光体ドラムと、その感光体ドラムのドラム軸を駆動回転させる駆動装置とを設け、前記感光体ドラムの内側に防振資材を収容してある画像形成装置であって、前記ドラム軸を、前記感光体ドラムの内側を同芯状に貫通する中空軸で構成し、そのドラム軸の中空部に前記防振資材を収容してある点にある。
【０００６】
〔作用及び効果〕
感光体ドラムのドラム軸を感光体ドラムの内側を同芯状に貫通する中空軸で構成し、そのドラム軸の中空部に防振資材を収容してあるので、組み立て済みの感光体ドラムでも、そのドラム軸を構成している中空軸の一端側から、所望の振動特性に応じた防振資材を収容したり、収容済みの防振資材を異なる振動特性に応じた防振資材に交換することが簡単にできるようになり、感光体ドラムの保管や管理が煩雑化することなく、振動特性に応じた適切な防振資材を収容してある感光体ドラムを組み付け易い。
また、ドラム軸を中空軸で構成してあるので、ドラム軸の剛性を確保しながらその軽量化を図ることもできる。
【発明を実施するための最良の形態】
【０００７】
以下に本発明の実施の形態を図面に基づいて説明する。
〔第１実施形態〕
図１は、本発明による画像形成装置の一例としての電子写真式複写機Ａを示し、記録紙Ｐに画像を形成する画像形成部１や、その画像形成部１に給紙するための記録紙Ｐを収納する給紙部２，原稿を読み取るための光学部３，トナー像を定着させた後の記録紙Ｐを排紙トレイ６に排出したり、両面部５に送り出す排出・反転部４などを備えている。
【０００８】
前記画像形成部１は、感光体ドラム７の周りに、主帯電部８や現像部９，転写・分離部１０，クリーニング・除電部１１などを配設するとともに、加熱ローラ１８と加圧ローラ１９とを備えた定着部１２を設けて、光学部３で読み取った画像情報に基づいて感光体ドラム７の感光体表面に静電潜像を形成し、その静電潜像を現像したトナー像を給紙部２から給紙された記録紙Ｐに転写して、トナー像を定着部１２で定着させた後の記録紙Ｐを排出・反転部４に送り出すように構成してある。
【０００９】
前記給紙部２は、装置本体の横外側方にスライド移動自在に支持してある上下三つ給紙トレイ１３と、装置本体の横外側方に突出する姿勢と装置本体側に格納した姿勢とに上下揺動自在に支持してある手差しトレイ１４とを備え、各トレイ１３，１４は繰り出し用ローラ１５の駆動回転で記録紙Ｐを画像形成部１に向けて繰り出せるように構成してある。
【００１０】
前記給紙トレイ１３は、上下に重ねて収納してある複数枚の記録紙Ｐを、その給紙方向下手側部分が繰り出し用ローラ１５に接触するようにコイルバネ１６で弾性付勢する付勢板１７を設けて、繰り出し用ローラ１５の駆動回転で記録紙Ｐを上から順に画像形成部１に向けて繰り出せるように構成してある。
【００１１】
前記定着部１２は、トナー像を転写してある記録紙Ｐを加熱ローラ１８と加圧ローラ１９とのニップ部で挟持して、記録紙Ｐに転写してあるトナー像を加熱溶融させて定着させた後、その記録紙Ｐを排出・反転部４に向けて上向きに送り出すように構成してある。
【００１２】
前記感光体ドラム７は、図２に示すように、両端部に環状フランジ部材２０を同芯状に固定した円筒状に形成して、後述するように、感光体ドラム７の振動を防止するための防振資材としての防振ゴム２１をその内側に収容してあり、感光体ドラム７と一体に回転するドラム軸２２を左右の環状フランジ部材２０から突出させて、図３に示すように、その両突出端部２５を感光体ドラムユニット２３のハウジング２４に回転自在に支持してある。
【００１３】
前記ドラム軸２２は、感光体ドラム７の内側を同芯状に貫通する中空軸で構成して両端部を環状フランジ部材２０に一体に固定してあり、感光体ドラムユニット２３を装置本体に組み込んだ状態で、歯車列やベルトプーリなどを備えた動力伝達系を介して、図示しない電動モータなどの駆動装置で駆動回転できるように構成してある。
【００１４】
そして、図４に示すように、外径がドラム軸２２の内径よりも大径の円柱状の防振ゴム２１をドラム軸２２の一端側からその中空部に抜き出し可能に押し込んで、ドラム軸２２の内周面に対して密接状態で中空部に収容してある。
【００１５】
〔第２実施形態〕
図５は、本発明による画像形成装置の別実施形態を示し、防振資材としての帯板状の防振ゴム２１を、ドラム軸２２の内周面に沿う形状に弾性変形させて、ドラム軸２２の一端側からその中空部に抜き出し可能に押し込んで、ドラム軸２２の内周面に対して密接状態で中空部に収容してある。
その他の構成は第１実施形態と同様である。
【００１６】
〔その他の実施形態〕
１．本発明による画像形成装置は、防振資材としての樹脂材料を中空部に収容してあっても、防振資材としてのグリスなどの粘性流体を中空部に充填して収容してあっても良い。
２．本発明による画像形成装置は、複写機の他、レーザープリンタ，ファクシミリなどの電子写真式画像形成装置であっても良い。
【図面の簡単な説明】
【００１７】
【図１】画像形成装置の内部を示す概略側面図
【図２】感光体ドラムの斜視図
【図３】感光体ドラムユニットの斜視図
【図４】要部の横断面図
【図５】第２実施形態を示す要部の横断面図
【符号の説明】
【００１８】
７  感光体ドラム
２１  防振資材
２２  ドラム軸
【図１】
2008164733.tif 000003
【図２】
2008164733.tif 000004
【図３】
2008164733.tif 000005
【図４】
2008164733.tif 000006
【図５】
2008164733.tif 000007